(57)【特許請求の範囲】
【請求項１】
消費者が商品を購入するための抽選を申し込む場合に、自己の携帯端末を用いて通話回線により事業者サーバにアクセスしたときに用いられる、携帯端末のショートメッセージ機能を利用した商品の決済方法であって、
前記事業者サーバは、前記携帯端末の電話番号を用いて前記消費者が前記抽選に当選したかどうかを判断し、
前記事業者サーバは、前記当選したと判断された消費者の電話番号及び前記商品に関する情報を前記管理者サーバに送信し、
前記管理者サーバは、受信した前記電話番号が属するキャリアを判別し、
前記管理者サーバは、前記商品の決済に関する情報を含む決済画面を作成し、
前記管理者サーバは、前記決済画面と対応付けられたＵＲＬを記載したショートメッセージを、判別した前記キャリアに応じた回線を介し、前記当選したと判断された消費者の電話番号に対応する携帯端末に送信し、
前記管理者サーバは、判別した前記キャリアに対応する前記キャリアサーバに前記商品の価格を含む決済用情報を送信し、
前記キャリアサーバは、前記当選したと判断された消費者が前記決済画面を介して前記商品の購入を承認した承認情報及び前記決済用情報に基づいて決済を完了させ、決済完了情報を前記事業者サーバまたは前記管理者サーバに送信し、
前記事業者サーバは、前記管理者サーバ経由または前記キャリアサーバから直接受け取った前記決済完了情報に基づいて前記商品の発送の処理を行うことを特徴とする携帯端末のショートメッセージ機能を利用した商品の決済方法。
【請求項２】
前記事業者サーバは、前記抽選に落選したと判断された消費者のうち、キャンセル待ちの意志を示した消費者の電話番号を前記管理者サーバに送信し、
前記管理者サーバは、受信した前記電話番号が属するキャリアを判別し、
前記管理者サーバは、前記商品を仮に購入するための仮決済を行う仮決済画面を作成し、
前記管理者サーバは、前記仮決済画面と対応付けられたＵＲＬを記載したショートメッセージを、判別した前記キャリアに応じた回線を介し、前記キャンセル待ちの意志を示した消費者の電話番号に対応する携帯端末に送信し、
前記管理者サーバは、判別した前記キャリアに対応するキャリアサーバに前記商品の価格を含む仮決済用情報を送信し、
前記キャリアサーバは、前記キャンセル待ちの意志を示した消費者が前記仮決済画面を介して前記商品の仮決済を承認した仮決済承認情報及び前記仮決済用情報に基づいて仮決済を完了させ、仮決済完了情報を前記管理者サーバに送信し、
キャンセルが発生した場合、前記管理者サーバは、前記仮決済されている商品の購入を行うための購入画面を作成し、
前記管理者サーバは、前記購入画面と対応付けられたＵＲＬを記載したショートメッセージを、判別した前記キャリアに応じた回線を介し、前記仮決済を行った消費者の電話番号に対応する携帯端末に送信し、
前記キャリアサーバは、前記仮決済を行った消費者が前記購入画面を介して前記商品の購入を確定した確定情報及び前記仮決済完了情報に基づいて決済を完了させ、決済完了情報を前記事業者サーバまたは前記管理者サーバに送信し、
前記事業者サーバは、前記管理者サーバ経由または前記キャリアサーバから直接受け取った前記決済完了情報に基づいて前記商品の発送の処理を行うことを特徴とする請求項１記載の携帯端末のショートメッセージ機能を利用した商品の決済方法。
【請求項３】
前記事業者サーバは、前記抽選に落選したと判断された消費者の電話番号及び前記商品に関連した別商品を販売するための情報を前記管理者サーバに送信し、
前記管理者サーバは、受信した前記電話番号が属するキャリアを判別し、
前記管理者サーバは、前記商品に関連した別商品を販売するための情報を含む販売画面を作成し、
前記管理者サーバは、前記販売画面と対応付けられたＵＲＬを記載したショートメッセージを、判別した前記キャリアに応じた回線を介し、前記落選したと判断された消費者の電話番号に対応する携帯端末に送信し、
前記管理者サーバは、前記落選したと判断された消費者が前記販売画面を介して前記別商品の購入を承認した場合、判別した前記キャリアに対応するキャリアサーバに当該別商品の価格を含む決済用情報を送信し、
前記キャリアサーバは、前記別商品の購入を承認した承認情報及び前記決済用情報に基づいて決済を完了させ、決済完了情報を前記事業者サーバまたは前記管理者サーバに送信し、
前記事業者サーバは、前記管理者サーバ経由または前記キャリアサーバから直接受け取った前記決済完了情報に基づいて前記別商品の発送の処理を行うことを特徴とする請求項１記載の携帯端末のショートメッセージ機能を利用した商品の決済方法。
【請求項４】
消費者が商品を入手するための抽選を申し込む場合に、自己の携帯端末を用いて通話回線により事業者サーバにアクセスしたときに用いられる、携帯端末のショートメッセージ機能を利用した商品の提供方法であって、
前記事業者サーバは、前記携帯端末の電話番号を用いて前記消費者が前記抽選に当選したかどうかを判断し、
前記事業者サーバは、前記当選したと判断された消費者の電話番号及び前記商品に関する情報を管理者サーバに送信し、
前記管理者サーバは、受信した前記電話番号が属するキャリアを判別し、
前記管理者サーバは、前記商品の発送に関する情報を入力するためのフォームを含む入力画面を作成し、
前記管理者サーバは、前記入力画面と対応付けられたＵＲＬを記載したショートメッセージを、判別した前記キャリアに応じた回線を介し、前記当選したと判断された消費者の電話番号に対応する携帯端末に送信し、
前記事業者サーバは、前記当選したと判断された消費者が前記入力画面を介して前記商品の発送に関する情報を入力した場合、前記管理者サーバ経由または当該消費者の携帯端末から直接受け取った前記商品の発送に関する情報に基づいて前記商品の発送の処理を行い、
前記事業者サーバは、前記抽選に落選したと判断された消費者の電話番号、並びに前記商品及び／または前記商品に関連した別商品を販売するための情報を前記管理者サーバに送信し、
前記管理者サーバは、受信した前記電話番号が属するキャリアを判別し、
前記管理者サーバは、前記商品及び／または前記商品に関連した別商品を販売するための情報を含む販売画面を作成し、
前記管理者サーバは、前記販売画面と対応付けられたＵＲＬを記載したショートメッセージを、判別した前記キャリアに応じた回線を介し、前記落選したと判断された消費者の電話番号に対応する携帯端末に送信し、
前記管理者サーバは、前記落選したと判断された消費者が前記販売画面を介して前記商品及び／または前記別商品の購入を承認した場合、判別した前記キャリアに対応する前記キャリアサーバに当該商品及び／または当該別商品の価格を含む決済用情報を送信し、
前記キャリアサーバは、前記商品及び／または前記別商品の購入を承認した承認情報及び前記決済用情報に基づいて決済を完了させ、決済完了情報を前記事業者サーバまたは前記管理者サーバに送信し、
前記事業者サーバは、前記管理者サーバ経由または前記キャリアサーバから直接受け取った前記決済完了情報に基づいて前記商品及び／または前記別商品の発送の処理を行うことを特徴とする携帯端末のショートメッセージ機能を利用した商品の提供方法。
【請求項５】
商品を購入するための抽選に当選したと判断された消費者の携帯端末の電話番号及び前記商品に関する情報を事業者サーバから受信する電話番号受信部と、
受信した前記電話番号が属するキャリアを判別する判別部と、
前記商品の決済に関する情報を含む決済画面を作成する画面作成部と、
ショートメッセージ送信部に対し、前記決済画面と対応付けられたＵＲＬを記載したショートメッセージを、判別した前記キャリアに応じた回線を介し、前記当選したと判断された消費者の電話番号に対応する携帯端末に送信させるショートメッセージ送信指示部と、
判別した前記キャリアに対応するキャリアサーバに前記商品の価格を含む決済用情報を送信する決済用情報送信部と、
前記当選したと判断された消費者が前記決済画面を介して前記商品の購入を承認した承認情報及び前記決済用情報に基づいて決済を完了させたことを示す決済完了情報を前記キャリアサーバから受信する決済完了情報受信部と、
前記事業者サーバに対して前記決済完了情報を送信する決済完了情報送信部と、
を有することを特徴とするサーバ装置。
【請求項６】
前記電話番号受信部は、前記抽選に落選したと判断された消費者のうち、キャンセル待ちの意志を示した消費者の携帯端末の電話番号を前記事業者サーバから受信し、
前記判別部は、受信した前記キャンセル待ちの意志を示した消費者の携帯端末の電話番号が属するキャリアを判別し、
前記画面作成部は、前記商品を仮に購入するための仮決済を行う仮決済画面を作成し、
前記ショートメッセージ送信指示部は、前記ショートメッセージ送信部に対し、前記仮決済画面と対応付けられたＵＲＬを記載したショートメッセージを、判別した前記キャリアに応じた回線を介し、前記キャンセル待ちの意志を示した消費者の電話番号に対応する携帯端末に送信させ、
前記決済用情報送信部は、判別した前記キャリアに対応するキャリアサーバに前記商品の価格を含む仮決済用情報を送信し、
前記決済完了情報受信部は、前記キャンセル待ちの意志を示した消費者が前記仮決済画面を介して前記商品の仮決済を承認した仮決済承認情報及び前記仮決済用情報に基づいて仮決済を完了させたことを示す仮決済完了情報を前記キャリアサーバから受信し、
キャンセルが発生した場合、前記画面作成部は、前記仮決済されている商品の購入を行うための購入画面を作成し、
前記ショートメッセージ送信指示部は、前記ショートメッセージ送信部に対し、前記購入画面と対応付けられたＵＲＬを記載したショートメッセージを、判別した前記キャリアに応じた回線を介し、前記仮決済を行った消費者の電話番号に対応する携帯端末に送信させ、
前記決済完了情報受信部は、前記仮決済を行った消費者が前記購入画面を介して前記商品の購入を確定した確定情報及び前記仮決済完了情報に基づいて決済を完了させたことを示す決済完了情報を前記キャリアサーバから受信し、
前記決済完了情報送信部は、前記事業者サーバに対して前記決済完了情報を送信する、
ことを特徴とする請求項５記載のサーバ装置。
【請求項７】
前記電話番号受信部は、前記抽選に落選したと判断された消費者の携帯端末の電話番号及び前記商品に関連した別商品を販売するための情報を前記事業者サーバから受信し、
前記判別部は、受信した前記落選したと判断された消費者の携帯端末の電話番号が属するキャリアを判別し、
前記画面作成部は、前記商品に関連した別商品を販売するための情報を含む販売画面を作成し、
前記ショートメッセージ送信指示部は、前記ショートメッセージ送信部に対し、前記販売画面と対応付けられたＵＲＬを記載したショートメッセージを、判別した前記キャリアに応じた回線を介し、前記落選したと判断された消費者の電話番号に対応する携帯端末に送信させ、
前記決済用情報送信部は、前記落選したと判断された消費者が前記販売画面を介して前記別商品の購入を承認した場合、判別した前記キャリアに対応するキャリアサーバに当該別商品の価格を含む決済用情報を送信し、
前記決済完了情報受信部は、前記別商品の購入を承認した承認情報及び前記決済用情報に基づいて決済を完了させたことを示す決済完了情報を前記キャリアサーバから受信し、
前記決済完了情報送信部は、前記事業者サーバに対して前記決済完了情報を送信する、
ことを特徴とする請求項５記載のサーバ装置。
【請求項８】
商品を入手するための抽選に当選したと判断された消費者の携帯端末の電話番号及び前記商品に関する情報を事業者サーバから受信する電話番号受信部と、
受信した前記電話番号が属するキャリアを判別する判別部と、
前記商品の発送に関する情報を入力するためのフォームを含む入力画面を作成する画面作成部と、
ショートメッセージ送信部に対し、前記入力画面と対応付けられたＵＲＬを記載したショートメッセージを、判別した前記キャリアに応じた回線を介し、前記当選したと判断された消費者の電話番号に対応する携帯端末に送信させるショートメッセージ送信指示部と、
を有し、
前記電話番号受信部は、前記抽選に落選したと判断された消費者の電話番号、並びに前記商品及び／または前記商品に関連した別商品を販売するための情報を前記事業者サーバから受信し、
前記判別部は、受信した前記落選したと判断された消費者の携帯端末の電話番号が属するキャリアを判別し、
前記画面作成部は、前記商品及び／または前記商品に関連した別商品を販売するための情報を含む販売画面を作成し、
前記ショートメッセージ送信指示部は、前記ショートメッセージ送信部に対し、前記販売画面と対応付けられたＵＲＬを記載したショートメッセージを、判別した前記キャリアに応じた回線を介し、前記落選したと判断された消費者の電話番号に対応する携帯端末に送信させ、
前記落選したと判断された消費者が前記販売画面を介して前記商品及び／または前記別商品の購入を承認した場合、判別した前記キャリアに対応するキャリアサーバに当該商品及び／または当該別商品の価格を含む決済用情報を送信する決済用情報送信部と、
前記商品及び／または前記別商品の購入を承認した承認情報及び前記決済用情報に基づいて決済を完了させたことを示す決済完了情報を前記キャリアサーバから受信する決済完了情報受信部と、
前記事業者サーバに対して前記決済完了情報を送信する決済完了情報送信部と、
を有することを特徴とするサーバ装置。
【発明の詳細な説明】
【技術分野】
【０００１】
本発明の実施形態は、携帯端末のショートメッセージ機能を利用した商品の決済方法、携帯端末のショートメッセージ機能を利用した商品の提供方法、及び当該方法に用いられるサーバ装置に関する。
【背景技術】
【０００２】
各通信事業者（以下、「キャリア」という場合がある）が提供する携帯端末（携帯電話、スマートフォン等）は、一般的にショートメッセージサービス（以下、「ＳＭＳ」という場合がある）の機能を備えている。
【０００３】
ＳＭＳは、携帯端末間で電話番号を宛先として指定してショートメッセージを送信するサービスである。ＳＭＳは、携帯端末の通話回線を利用するため、リアルタイム性、安全性が高い。また、各キャリアが独自に付与するメールアドレスは、キャリアを変更した場合に使用できなくなる。一方、ＳＭＳは、ナンバーポータビリティを利用することにより、キャリアを変更した場合であっても同じ宛先を使用することができる。ＳＭＳは、このような利点を有することから、益々利用される可能性がある。
【０００４】
ＳＭＳを利用したサービスとして、たとえば、特許文献１には移動通信端末のＳＭＳ機能を用いた認証および決済に関するシステムの構成が記載されている。
【先行技術文献】
【特許文献】
【０００５】
【特許文献１】特表２００８−５１１０６７号公報
【発明の概要】
【発明が解決しようとする課題】
【０００６】
ところで、コンサートチケットの販売やＴＶ番組の視聴者への商品プレゼント等、数が限られている商品を販売・提供する場合、複数の申し込みに対して抽選を行い、当選者のみが当該商品を入手できる仕組みになっていることが一般的である。しかし、このような仕組みにおいてＳＭＳを用いたサービスは存在しない。
【０００７】
本発明は、このような抽選を行う場合において、簡単且つ安全に商品の決済や商品の提供を行うことが可能な技術を提供することを目的とする。
【課題を解決するための手段】
【０００８】
上記課題を解決するために、請求項１記載の携帯端末のショートメッセージ機能を利用した商品の決済方法は、消費者が商品を購入するための抽選を申し込む場合に、自己の携帯端末を用いて通話回線により事業者サーバにアクセスしたときに用いられる。事業者サーバは、携帯端末の電話番号を用いて消費者が抽選に当選したかどうかを判断する。事業者サーバは、当選したと判断された消費者の電話番号及び商品に関する情報を管理者サーバに送信する。管理者サーバは、受信した電話番号が属するキャリアを判別する。管理者サーバは、商品の決済に関する情報を含む決済画面を作成する。管理者サーバは、決済画面と対応付けられたＵＲＬを記載したショートメッセージを、判別したキャリアに応じた回線を介し、当選したと判断された消費者の電話番号に対応する携帯端末に送信する。管理者サーバは、判別したキャリアに対応するキャリアサーバに商品の価格を含む決済用情報を送信する。キャリアサーバは、当選したと判断された消費者が決済画面を介して商品の購入を承認した承認情報及び決済用情報に基づいて決済を完了させ、決済完了情報を事業者サーバまたは管理者サーバに送信する。事業者サーバは、管理者サーバ経由またはキャリアサーバから直接受け取った決済完了情報に基づいて商品の発送の処理を行う。
また、上記課題を解決するために、請求項２記載の携帯端末のショートメッセージ機能を利用した商品の決済方法は、請求項１記載の携帯端末のショートメッセージ機能を利用した商品の決済方法であって、事業者サーバは、抽選に落選したと判断された消費者のうち、キャンセル待ちの意志を示した消費者の電話番号を管理者サーバに送信する。管理者サーバは、受信した電話番号が属するキャリアを判別する。管理者サーバは、商品を仮に購入するための仮決済を行う仮決済画面を作成する。管理者サーバは、仮決済画面と対応付けられたＵＲＬを記載したショートメッセージを、判別したキャリアに応じた回線を介し、キャンセル待ちの意志を示した消費者の電話番号に対応する携帯端末に送信する。管理者サーバは、判別したキャリアに対応するキャリアサーバに商品の価格を含む仮決済用情報を送信する。キャリアサーバは、キャンセル待ちの意志を示した消費者が仮決済画面を介して商品の仮決済を承認した仮決済承認情報及び仮決済用情報に基づいて仮決済を完了させ、仮決済完了情報を管理者サーバに送信する。キャンセルが発生した場合、管理者サーバは、仮決済されている商品の購入を行うための購入画面を作成する。管理者サーバは、購入画面と対応付けられたＵＲＬを記載したショートメッセージを、判別したキャリアに応じた回線を介し、仮決済を行った消費者の電話番号に対応する携帯端末に送信する。キャリアサーバは、仮決済を行った消費者が購入画面を介して商品の購入を確定した確定情報及び仮決済完了情報に基づいて決済を完了させ、決済完了情報を事業者サーバまたは管理者サーバに送信する。事業者サーバは、管理者サーバ経由またはキャリアサーバから直接受け取った決済完了情報に基づいて商品の発送の処理を行う。
また、上記課題を解決するために、請求項３記載の携帯端末のショートメッセージ機能を利用した商品の決済方法は、請求項１記載の携帯端末のショートメッセージ機能を利用した商品の決済方法であって、事業者サーバは、抽選に落選したと判断された消費者の電話番号及び商品に関連した別商品に関する情報を管理者サーバに送信する。管理者サーバは、受信した電話番号が属するキャリアを判別する。管理者サーバは、商品に関連した別商品に関する情報を含む販売画面を作成する。管理者サーバは、販売画面と対応付けられたＵＲＬを記載したショートメッセージを、判別したキャリアに応じた回線を介し、落選したと判断された消費者の電話番号に対応する携帯端末に送信する。管理者サーバは、落選したと判断された消費者が販売画面を介して別商品の購入を承認した場合、判別したキャリアに対応するキャリアサーバに当該別商品の価格を含む決済用情報を送信する。キャリアサーバは、別商品の購入を承認した承認情報及び決済用情報に基づいて決済を完了させ、決済完了情報を事業者サーバまたは管理者サーバに送信する。事業者サーバは、管理者サーバ経由またはキャリアサーバから直接受け取った決済完了情報に基づいて別商品の発送の処理を行う。
また、上記課題を解決するために、請求項４記載の携帯端末のショートメッセージ機能を利用した商品の提供方法は、消費者が商品を入手するための抽選を申し込む場合に、自己の携帯端末を用いて通話回線により事業者サーバにアクセスしたときに用いられる。事業者サーバは、携帯端末の電話番号を用いて消費者が抽選に当選したかどうかを判断する。事業者サーバは、当選したと判断された消費者の電話番号及び商品に関する情報を管理者サーバに送信する。管理者サーバは、受信した電話番号が属するキャリアを判別する。管理者サーバは、商品の発送に関する情報を入力するためのフォームを含む入力画面を作成する。管理者サーバは、入力画面と対応付けられたＵＲＬを記載したショートメッセージを、判別したキャリアに応じた回線を介し、当選したと判断された消費者の電話番号に対応する携帯端末に送信する。事業者サーバは、当選したと判断された消費者が入力画面を介して商品の発送に関する情報を入力した場合、管理者サーバ経由または当該消費者の携帯端末から直接受け取った商品の発送に関する情報に基づいて商品の発送の処理を行う。事業者サーバは、抽選に落選したと判断された消費者の電話番号、並びに商品及び／または商品に関連した別商品を販売するための情報を管理者サーバに送信する。管理者サーバは、受信した電話番号が属するキャリアを判別する。管理者サーバは、商品及び／または商品に関連した別商品を販売するための情報を含む販売画面を作成する。管理者サーバは、販売画面と対応付けられたＵＲＬを記載したショートメッセージを、判別したキャリアに応じた回線を介し、落選したと判断された消費者の電話番号に対応する携帯端末に送信する。管理者サーバは、落選したと判断された消費者が販売画面を介して商品及び／または別商品の購入を承認した場合、判別したキャリアに対応するキャリアサーバに当該商品及び／または当該別商品の価格を含む決済用情報を送信する。キャリアサーバは、商品及び／または別商品の購入を承認した承認情報及び決済用情報に基づいて決済を完了させ、決済完了情報を事業者サーバまたは管理者サーバに送信する。事業者サーバは、管理者サーバ経由またはキャリアサーバから直接受け取った決済完了情報に基づいて商品及び／または別商品の発送の処理を行う。
また、上記課題を解決するために、請求項５記載のサーバ装置は、電話番号受信部と、判別部と、画面作成部と、ショートメッセージ送信指示部と、決済用情報送信部と、決済完了情報受信部と、決済完了情報送信部とを有する。電話番号受信部は、商品を購入するための抽選に当選したと判断された消費者の携帯端末の電話番号及び商品に関する情報を事業者サーバから受信する。判別部は、受信した電話番号が属するキャリアを判別する。画面作成部は、商品の決済に関する情報を含む決済画面を作成する。ショートメッセージ送信指示部は、ショートメッセージ送信部に対し、決済画面と対応付けられたＵＲＬを記載したショートメッセージを、判別したキャリアに応じた回線を介し、当選したと判断された消費者の電話番号に対応する携帯端末に送信させる。決済用情報送信部は、判別したキャリアに対応するキャリアサーバに商品の価格を含む決済用情報を送信する。決済完了情報受信部は、当選したと判断された消費者が決済画面を介して商品の購入を承認した承認情報及び決済用情報に基づいて決済を完了させたことを示す決済完了情報をキャリアサーバから受信する。決済完了情報送信部は、事業者サーバに対して決済完了情報を送信する。
また、上記課題を解決するために、請求項６記載のサーバ装置は、請求項５記載のサーバ装置であって、電話番号受信部は、抽選に落選したと判断された消費者のうち、キャンセル待ちの意志を示した消費者の携帯端末の電話番号を事業者サーバから受信する。判別部は、受信したキャンセル待ちの意志を示した消費者の携帯端末の電話番号が属するキャリアを判別する。画面作成部は、商品を仮に購入するための仮決済を行う仮決済画面を作成する。ショートメッセージ送信指示部は、ショートメッセージ送信部に対し、仮決済画面と対応付けられたＵＲＬを記載したショートメッセージを、判別したキャリアに応じた回線を介し、キャンセル待ちの意志を示した消費者の電話番号に対応する携帯端末に送信させる。決済用情報送信部は、判別したキャリアに対応するキャリアサーバに商品の価格を含む仮決済用情報を送信する。決済完了情報受信部は、キャンセル待ちの意志を示した消費者が仮決済画面を介して商品の仮決済を承認した仮決済承認情報及び仮決済用情報に基づいて仮決済を完了させたことを示す仮決済完了情報をキャリアサーバから受信する。キャンセルが発生した場合、画面作成部は、仮決済されている商品の購入を行うための購入画面を作成する。ショートメッセージ送信指示部は、ショートメッセージ送信部に対し、購入画面と対応付けられたＵＲＬを記載したショートメッセージを、判別したキャリアに応じた回線を介し、仮決済を行った消費者の電話番号に対応する携帯端末に送信させる。決済完了情報受信部は、仮決済を行った消費者が購入画面を介して商品の購入を確定した確定情報及び仮決済完了情報に基づいて決済を完了させたことを示す決済完了情報をキャリアサーバから受信する。決済完了情報送信部は、事業者サーバに対して決済完了情報を送信する。
また、上記課題を解決するために、請求項７記載のサーバ装置は、請求項５記載のサーバ装置であって、電話番号受信部は、抽選に落選したと判断された消費者の携帯端末の電話番号及び商品に関連した別商品に関する情報を事業者サーバから受信する。判別部は、受信した落選したと判断された消費者の携帯端末の電話番号が属するキャリアを判別する。画面作成部は、商品に関連した別商品に関する情報を含む販売画面を作成する。ショートメッセージ送信指示部は、ショートメッセージ送信部に対し、販売画面と対応付けられたＵＲＬを記載したショートメッセージを、判別したキャリアに応じた回線を介し、落選したと判断された消費者の電話番号に対応する携帯端末に送信させる。決済用情報送信部は、落選したと判断された消費者が販売画面を介して別商品の購入を承認した場合、判別したキャリアに対応するキャリアサーバに当該別商品の価格を含む決済用情報を送信する。決済完了情報受信部は、別商品の購入を承認した承認情報及び決済用情報に基づいて決済を完了させたことを示す決済完了情報をキャリアサーバから受信する。決済完了情報送信部は、事業者サーバに対して決済完了情報を送信する。
また、上記課題を解決するために、請求項８記載のサーバ装置は、電話番号受信部と、判別部と、画面作成部と、ショートメッセージ送信指示部とを有する。電話番号受信部は、商品を入手するための抽選に当選したと判断された消費者の携帯端末の電話番号及び商品に関する情報を事業者サーバから受信する。判別部は、受信した電話番号が属するキャリアを判別する。画面作成部は、商品の発送に関する情報を入力するためのフォームを含む入力画面を作成する。ショートメッセージ送信指示部は、ショートメッセージ送信部に対し、入力画面と対応付けられたＵＲＬを記載したショートメッセージを、判別したキャリアに応じた回線を介し、当選したと判断された消費者の電話番号に対応する携帯端末に送信させる。また、決済用情報送信部と、決済完了情報受信部と、決済完了情報送信部とを更に有する。電話番号受信部は、抽選に落選したと判断された消費者の電話番号、並びに商品及び／または商品に関連した別商品を販売するための情報を事業者サーバから受信する。判別部は、受信した落選したと判断された消費者の携帯端末の電話番号が属するキャリアを判別する。画面作成部は、商品及び／または商品に関連した別商品を販売するための情報を含む販売画面を作成する。ショートメッセージ送信指示部は、ショートメッセージ送信部に対し、販売画面と対応付けられたＵＲＬを記載したショートメッセージを、判別したキャリアに応じた回線を介し、落選したと判断された消費者の電話番号に対応する携帯端末に送信させる。決済用情報送信部は、落選したと判断された消費者が販売画面を介して商品及び／または別商品の購入を承認した場合、判別したキャリアに対応するキャリアサーバに当該商品及び／または当該別商品の価格を含む決済用情報を送信する。決済完了情報受信部は、商品及び／または別商品の購入を承認した承認情報及び決済用情報に基づいて決済を完了させたことを示す決済完了情報をキャリアサーバから受信する。決済完了情報送信部は、事業者サーバに対して決済完了情報を送信する。
【発明の効果】
【０００９】
本発明の技術によれば、抽選を申し込んだ消費者が有する携帯端末のＳＭＳ機能を利用することにより、簡単且つ安全に商品の決済や商品の提供を行うことが可能となる。
【図面の簡単な説明】
【００１０】
【図１】第１実施形態に係る商品決済システムを示す図である。
【図２】第１実施形態に係る事業者サーバを示す図である。
【図３】第１実施形態に係る管理者サーバを示す図である。
【図４】第１実施形態に係る管理者サーバの説明を補足するための図である。
【図５】第１実施形態に係る管理者サーバの説明を補足するための図である。
【図６】第１実施形態に係る商品の決済方法を示すフローチャートである。
【図７】第２実施形態に係る管理者サーバの説明を補足するための図である。
【図８Ａ】第２実施形態に係る商品の決済方法を示すフローチャートである。
【図８Ｂ】第２実施形態に係る商品の決済方法を示すフローチャートである。
【図９】第３実施形態に係る管理者サーバの説明を補足するための図である。
【図１０】第３実施形態に係る商品の決済方法を示すフローチャートである。
【図１１】第４実施形態に係る商品提供システムを示す図である。
【図１２】第４実施形態に係る管理者サーバを示す図である。
【図１３】第４実施形態に係る管理者サーバの説明を補足するための図である。
【図１４】第４実施形態に係る商品の提供方法を示すフローチャートである。
【図１５】第５実施形態に係る商品の提供方法を示すフローチャートである。
【発明を実施するための形態】
【００１１】
＜第１実施形態＞
図１〜図６を参照して、第１実施形態に係る商品決済システム１について説明を行う。
【００１２】
［商品決済システムの構成］
図１は、本実施形態に係る商品決済システム１の概略を示す図である。商品決済システム１は、消費者が自己の携帯端末４０を使用し、通話回線により商品を購入するための抽選の申し込みを行った場合に用いられる。また、本実施形態では、消費者は、商品代金の決済方法としてキャリアによる決済を選択したものとする。
【００１３】
商品決済システム１は、事業者サーバ１０、管理者サーバ２０及びキャリアサーバ３０を含んで構成されている。サーバ同士は、有線または無線で通信される。
【００１４】
携帯端末４０は、通話回線を使用した通信が可能な機器（携帯電話、スマートフォン等）である。携帯端末４０は、商品決済システム１との間で通話回線を介した通信を行うことができる。また、携帯端末４０は、少なくともショートメッセージを受信する機能を有している。
【００１５】
消費者は、商品（たとえば、コンサートチケット）を購入するための抽選を申し込む場合、自己の携帯端末４０を用いて通話回線により事業者サーバ１０にアクセスする。具体的には、消費者は、携帯端末４０により事業者サーバ１０に指定されている所定の電話番号に電話を掛けることにより、抽選の申し込みをおこなう。この際、消費者が決済の方法を選択できるようにしてもよい。
【００１６】
（事業者サーバ）
事業者サーバ１０は、商品の販売等を行う事業者が有するサーバである。図２は事業者サーバ１０の構成を示すブロック図である。本実施形態に係る事業者サーバ１０は、受付部１０ａと、抽選処理部１０ｂと、送信部１０ｃと、発送処理部１０ｄとを含んで構成される。
【００１７】
受付部１０ａは、携帯端末４０からの抽選の申し込みを受け付ける。受付は、音声案内或いは、オペレータによる対応により行われる。なお、コンサートチケットのような商品を販売する場合、短時間に複数の携帯端末４０からのアクセスがある。この場合、受付部１０ａは、たとえば、テレドーム（登録商標）のようなサービスを利用して、複数の携帯端末４０からの電話を一度に受け付けることができる。
【００１８】
抽選処理部１０ｂは、携帯端末４０の電話番号を用いて消費者が抽選に当選したかどうかを判断する処理を行う。たとえば、受付部１０ａで複数の携帯端末４０からの申し込みを受け付けた場合、抽選処理部１０ｂは、複数の携帯端末の電話番号から所定数（たとえば、チケット販売枚数）の電話番号をランダムに抽出する。この抽出された電話番号は、当選したと判断された消費者（以下、「当選者」という場合がある）の電話番号に該当する。
【００１９】
送信部１０ｃは、当選者の電話番号及び商品に関する情報を管理者サーバ２０に送信する。商品に関する情報とは、たとえば、コンサートチケットであれば、コンサート名や、開催会場、開催日時、チケット価格等、商品やその価格を特定するための情報である。
【００２０】
発送処理部１０ｄは、管理者サーバ２０経由またはキャリアサーバ３０から直接受け取った決済完了情報（後述）に基づいて商品の発送の処理を行う。
【００２１】
なお、事業者サーバ１０は、上記機能を有していればよく、一つのサーバとして構成されている必要はない。たとえば、商品の抽選を行う事業者と商品を発送する事業者とが異なっている場合がありうる。この場合、商品の抽選を行う事業者が有するサーバ（受付部１０ａと、抽選処理部１０ｂと、送信部１０ｃとを含む）、及び商品を発送する事業者が有するサーバ（発送処理部１０ｄを含む）が事業者サーバ１０に該当する。
【００２２】
（管理者サーバ）
管理者サーバ２０は、決済システム１の全体的な管理を行う管理者が有するサーバである。図３は管理者サーバ２０の構成を示すブロック図である。管理者サーバ２０は、電話番号受信部２０ａと、判別部２０ｂと、画面作成部２０ｃと、ショートメッセージ送信指示部２０ｄと、ショートメッセージ送信部２０ｅと、決済用情報送信部２０ｆと、決済完了情報受信部２０ｇと、決済完了情報送信部２０ｈとを含んで構成される。
【００２３】
電話番号受信部２０ａは、抽選の当選者の携帯端末４０の電話番号及び商品に関する情報を事業者サーバ１０から受信する。
【００２４】
判別部２０ｂは、電話番号受信部２０ａで受信した電話番号が属するキャリアを判別する。キャリアの判別処理は、たとえば、特許第５２６５８００号に記載の技術を用いることが可能である。
【００２５】
画面作成部２０ｃは、商品の決済に関する情報を含む決済画面を作成する。商品の決済に関する情報は、電話番号受信部２０ａで受信した商品に関する情報のうち、少なくとも商品の価格を含む情報である。決済画面は、たとえば図４に示すように、コンサート名、開催日時、チケット価格及び承認ボタンが示される。承認ボタンは、キャリアサーバ３０が提供する暗証番号入力画面とリンクされている。
【００２６】
なお、画面作成部２０ｃは、商品の決済に関する情報以外の情報（たとえば、コンサート会場近隣の宿泊施設に関する情報を提供するサイトへのリンクや関連商品の販売サイトに誘導するためのバナー広告等）を含んだ決済画面を作成してもよい。
【００２７】
ショートメッセージ送信指示部２０ｄは、ショートメッセージ送信部２０ｅに対し、決済画面と対応付けられたＵＲＬを記載したショートメッセージを、判別したキャリアに応じた回線を介し、当選者の電話番号に対応する携帯端末４０に送信させる。
【００２８】
具体的には、ショートメッセージ送信指示部２０ｄは、画面作成部２０ｃで作成された決済画面へのリンクを示すＵＲＬ、当選者の電話番号及び判別したキャリアをショートメッセージ送信部２０ｅに送信する。ショートメッセージ送信部２０ｅは、ＵＲＬを記載したショートメッセージ（たとえば、図５参照）を作成する。ショートメッセージには、ＵＲＬの他、当選した旨を伝えるメッセージが記載されていてもよい（図５参照）。
【００２９】
ここで、ショートメッセージは、電話番号に基づいて送信することができる。一方、各キャリアは、それぞれ独自の通信網によって通信を行っている。また、ＵＲＬが示されたメッセージを送信できないように設定しているキャリアもある。そこで、ショートメッセージ送信部２０ｅは、作成したショートメッセージを、判別したキャリアに応じた回線を介し、当選者の電話番号に対応する携帯端末４０に送信する。
【００３０】
決済用情報送信部２０ｆは、判別したキャリアに対応するキャリアサーバ３０に商品の価格を含む決済用情報を送信する。決済用情報は、商品の価格、及び決済を行う携帯端末の所有者（当選者）を特定するための情報（すなわち、電話番号）が含まれる。
【００３１】
決済完了情報受信部２０ｇは、決済完了情報（後述）をキャリアサーバ３０から受信する。
【００３２】
決済完了情報送信部２０ｈは、事業者サーバ１０に対して決済完了情報（後述）を送信する。事業者サーバ１０（発送処理部１０ｄ）は、決済完了情報に基づいて商品の発送処理を行う。
【００３３】
なお、管理者サーバ２０は、上記機能を有していればよく、一つのサーバとして構成されている必要はない。たとえば、決済画面の作成等を行う事業者とショートメッセージを送信する事業者が異なっている場合がありうる。この場合、決済画面の作成等を行う事業者が有するサーバ（電話番号受信部２０ａと、判別部２０ｂと、画面作成部２０ｃと、ショートメッセージ送信指示部２０ｄと、決済用情報送信部２０ｆと、決済完了情報受信部２０ｇと、決済完了情報送信部２０ｈとを含む）、及びショートメッセージを送信する事業者が有するサーバ（ショートメッセージ送信部２０ｅを含む）が管理者サーバ２０に該当する。なお、「決済画面の作成等を行う事業者が有するサーバ」は、「サーバ装置」の一例である。
【００３４】
（キャリアサーバ）
キャリアサーバ３０は、携帯端末４０の各キャリアが有するサーバである。図１では、３つのキャリアに応じたキャリアサーバ３０ａ〜３０ｃを示している。キャリアサーバ３０は携帯端末間の通信処理を行うほか、各キャリアに応じた専用の決済処理（キャリア決済）を行う機能を有する。
【００３５】
キャリア決済の例としては、たとえば、「ケータイ払い」（株式会社エヌ・ティ・ティ・ドコモ）、「ａｕかんたん決済」（登録商標。ＫＤＤＩ株式会社）、「ケータイ支払い」（ソフトバンクモバイル株式会社）がある。キャリア決済の場合、決済された商品代金は、携帯端末４０の使用料に上乗せされ、翌月以降に請求される。
【００３６】
キャリアサーバ３０は、承認情報及び決済用情報に基づいて決済を完了させ、決済完了情報を管理者サーバ２０（決済完了情報受信部２０ｇ）に送信する。
【００３７】
「承認情報」は、消費者が決済画面を介して商品の購入を承認したことを示す情報である。具体例としては、決済画面の承認ボタン（図４参照）とリンクした暗証番号入力画面における暗証番号の入力情報である。なお、「ａｕかんたん決済」のようにワンタイムパスワードの入力を要求する場合には、ワンタイムパスワードの入力情報である。「決済完了情報」は、決済を完了させたことを示す情報である。
【００３８】
本実施形態における決済は、承認情報及び決済用情報に基づいて行われる。具体的には、キャリアサーバ３０は、承認情報と決済用情報とを照らし合わせることにより決済を行う。このように、キャリアサーバ３０は、決済を行う際に異なるルートで送信される２種類の情報（承認情報及び決済用情報）を用いることにより、不正な決済要求でないことを確認しつつ、確実に決済処理を行うことができる。
【００３９】
事業者サーバ１０（発送処理部１０ｄ）は、管理者サーバ２０経由で受け取った決済完了情報に基づいて商品の発送の処理を行う。このように、決済完了の後に商品の発送を行う即時決済を要求することにより、事業者は商品代金の回収を確実に行うことができる。
【００４０】
なお、キャリアサーバ３０は、管理者サーバ２０を介さず、事業者サーバ１０に直接、決済完了情報を送信してもよい。
【００４１】
［商品の決済方法］
次に図６を参照して本実施形態に係る商品の決済方法における、抽選の申し込みから商品代金の支払いまでの一例を説明する。
【００４２】
消費者は、商品を購入するための抽選を申し込む場合に、自己の携帯端末４０を用いて通話回線により事業者サーバ１０にアクセスする（「抽選の申し込み」。ステップ１０）。
【００４３】
事業者サーバ１０は、携帯端末４０の電話番号を用いて消費者が抽選に当選したかどうかを判断する（「当選の判断」。ステップ１１）。
【００４４】
事業者サーバ１０は、当選者の電話番号及び商品に関する情報を管理者サーバ２０に送信する（「電話番号等の送信」。ステップ１２）。
【００４５】
管理者サーバ２０は、ステップ１２で送信された電話番号が属するキャリアを判別する（「キャリアの判別」。ステップ１３）。
【００４６】
管理者サーバ２０は、ステップ１２で送信された商品に関する情報に基づいて、商品の決済に関する情報を含む決済画面を作成する（「決済画面の作成」。ステップ１４）。
【００４７】
管理者サーバ２０は、決済画面と対応付けられたＵＲＬを記載したショートメッセージを、ステップ１３で判別したキャリアに応じた回線を介し、当選者の電話番号に対応する携帯端末４０に送信する（「ショートメッセージの送信」。ステップ１５）。
【００４８】
管理者サーバ２０は、ステップ１３で判別したキャリアに対応するキャリアサーバ３０に商品の価格を含む決済用情報を送信する（「決済用情報の送信」。ステップ１６）。
【００４９】
当選者は、携帯端末４０により、ステップ１５で送信されたショートメッセージを受信する（「ショートメッセージの受信」。ステップ１７）。当選者は、ステップ１７で受信したショートメッセージに記載されたＵＲＬから決済画面を開き、当該決済画面を介して（キャリアサーバ３０が提供する暗証番号入力画面で暗証番号を入力することにより）商品の購入を承認する（「承認」。ステップ１８）。
【００５０】
キャリアサーバ３０は、ステップ１６における決済用情報及びステップ１８における承認情報に基づいて決済を完了させ、決済完了情報を管理者サーバ２０に送信する（「決済の完了」。ステップ１９）。
【００５１】
管理者サーバ２０は、ステップ１９における決済完了情報を事業者サーバ１０に送信する（「決済完了情報の送信」。ステップ２０）。
【００５２】
事業者サーバ１０は、管理者サーバ２０経由で受け取った決済完了情報に基づいて商品の発送の処理を行う（「商品の発送」。ステップ２１）。
【００５３】
キャリアサーバ３０は、ステップ１９において決済された商品代金を携帯端末４０の使用料に上乗せして請求する（「代金の請求」。ステップ２２）。
【００５４】
消費者は、携帯端末４０の使用料に上乗せされた商品代金の支払いを行う（「代金の支払い」。ステップ２３）。
【００５５】
このように、本実施形態の商品決済システム１（商品の決済方法）によれば、通話回線を使用した通信（ＳＭＳ等）により安全な決済処理等が可能となる。また、消費者は、暗証番号を入力するたけの簡易な作業のみで、抽選の申し込みから商品の入手まで行うことができる（専用サイトにアクセスし専用ＩＤを作成することや、個人情報を登録する必要等、手間のかかる作業が必要ない）。すなわち、本実施形態の商品決済システム１（商品の決済方法）によれば、商品の購入を簡単に行うことが可能となる。
【００５６】
＜第２実施形態＞
図７〜図８Ｂを参照して、第２実施形態に係る商品決済システム１について説明を行う。本実施形態では、抽選に落選したと判断された消費者（以下、「落選者」という場合がある）について述べる（当選者については第１実施形態と同様である）。第１実施形態と同様の構成については詳細な説明を省略する。
【００５７】
［商品決済システムの構成］
本実施形態に係る商品決済システム１は、事業者サーバ１０、管理者サーバ２０及びキャリアサーバ３０を含んで構成される。
【００５８】
（事業者サーバ）
本実施形態における受付部１０ａは、消費者の携帯端末４０からの抽選の申し込みを受け付ける場合に、キャンセル待ちの意志の有無も受け付ける。「キャンセル待ちの意志」とは、自己が落選した場合且つ当選者が商品の購入をキャンセルした場合、当選者の代わりにその商品を購入するという消費者の意志をいう。
【００５９】
たとえば、音声案内にて申し込みの受付を行う場合、受付部１０ａは、「キャンセル待ちを行う方は「１＃」を、キャンセル待ちを行わない方は「０＃」を押してください」といった音声を流し、「１＃」を押した消費者を「キャンセル待ちの意志を示した消費者」として受け付ける。
【００６０】
また、抽選処理部１０ｂが抽選に当選しなかったと判断した電話番号（抽選処理部１０ｂにより抽出されなかった電話番号）は、落選者の電話番号に該当する。送信部１０ｃは、落選者のうち、キャンセル待ちの意志を示した消費者（以下、「キャンセル待ちの落選者」という場合がある）の電話番号を管理者サーバ２０に送信する。
【００６１】
（管理者サーバ）
電話番号受信部２０ａは、キャンセル待ちの落選者の携帯端末４０の電話番号を事業者サーバ１０から受信する。
【００６２】
判別部２０ｂは、受信したキャンセル待ちの落選者の携帯端末４０の電話番号が属するキャリアを判別する。
【００６３】
画面作成部２０ｃは、商品を仮に購入するための仮決済を行う仮決済画面を作成する。仮決済画面は、たとえば図７に示すように、コンサート名、開催日時、チケット価格、仮承認ボタン及びその他のメッセージ（たとえば、注意書き）が示される。仮承認ボタンは、キャリアサーバ３０が提供する暗証番号入力画面とリンクされている。なお、仮決済画面を作成する際に必要となる商品に関する情報は、当選者の電話番号と合わせて送信されているものを利用してもよいし、キャンセル待ちの落選者の電話番号と合わせて送信してもよい。
【００６４】
また、キャンセルが発生した場合、画面作成部２０ｃは、仮決済されている商品の購入を行うための購入画面を作成する。購入画面は、たとえば図７に示した仮決済画面と同様、コンサート名、開催日時、チケット価格の他、仮承認ボタンの代わりに確定ボタンが示される。確定ボタンは、キャリアサーバ３０が提供する暗証番号入力画面とリンクされている。既に仮決済が済んでいるため、購入画面には、商品の価格等は表示されなくともよい。
【００６５】
なお、画面作成部２０ｃは、仮決済に関する情報以外の情報（たとえば、同じアーティストの別日程のコンサートチケット応募サイトへのリンクや関連商品の販売サイトに誘導するためのバナー広告等）を含んだ仮決済画面を作成してもよい。
【００６６】
ショートメッセージ送信指示部２０ｄは、ショートメッセージ送信部２０ｅに対し、仮決済画面と対応付けられたＵＲＬを記載したショートメッセージを、判別したキャリアに応じた回線を介し、キャンセル待ちの落選者の電話番号に対応する携帯端末４０に送信させる。ショートメッセージには、ＵＲＬの他、落選した旨を伝えるメッセージ等が記載されていてもよい。
【００６７】
また、キャンセルが発生した場合、ショートメッセージ送信指示部２０ｄは、ショートメッセージ送信部２０ｅに対し、購入画面と対応付けられたＵＲＬを記載したショートメッセージを、判別したキャリアに応じた回線を介し、仮決済を行った消費者の電話番号に対応する携帯端末４０に送信させる。「仮決済を行った消費者」とは、キャンセル待ちの意志を示した消費者のうち、実際に仮決済を行った者である。キャンセル待ちの落選者のうち、誰が仮決済を行ったかは、キャリアサーバ３０からの仮決済完了情報（後述）に基づいて管理者サーバ２０で判断することができる。ショートメッセージには、ＵＲＬの他、キャンセルが発生した旨を伝えるメッセージが記載されていてもよい。
【００６８】
なお、仮決済を行った消費者よりもキャンセルされた数のほうが少ない場合、仮決済を行った消費者全てにショートメッセージを送ることはできない。このような場合に備え、抽選処理部１０ｂ（或いは、電話番号受信部２０ａ）は、予めキャンセル待ちの落選者の順位付けを行ってもよい。ショートメッセージ送信部２０ｅは、この順位付けに応じて（順位が高い落選者且つ仮決済を行った消費者から順に）ショートメッセージを送信する。
【００６９】
決済用情報送信部２０ｆは、判別したキャリアに対応するキャリアサーバ３０に商品の価格を含む仮決済用情報を送信する。仮決済用情報は、決済用情報と同様、商品の価格、及び仮決済を行う携帯端末の所有者（キャンセル待ちの落選者）を特定するための情報（すなわち、電話番号）が含まれる。
【００７０】
決済完了情報受信部２０ｇは、仮決済完了情報（後述）をキャリアサーバ３０から受信する。
【００７１】
また、キャンセルが発生した場合、決済完了情報受信部２０ｇは、決済完了情報をキャリアサーバ３０から受信する。決済完了情報送信部２０ｈは、事業者サーバ１０に対して決済完了情報を送信する。
【００７２】
（キャリアサーバ）
キャリアサーバ３０は、仮決済承認情報及び仮決済用情報に基づいて決済を完了させ、仮決済完了情報を管理者サーバ２０（決済完了情報受信部２０ｇ）に送信する。
【００７３】
「仮決済承認情報」は、キャンセル待ちの落選者が仮決済画面を介して商品の仮決済を承認したことを示す情報である。具体例としては、仮決済画面の仮承認ボタン（図７参照）とリンクした暗証番号入力画面における暗証番号の入力情報である。「仮決済完了情報」は、仮決済を完了させたことを示す情報である。本実施形態における仮決済は、仮決済承認情報及び仮決済用情報に基づいて行われる。
【００７４】
また、キャンセルが発生した場合、キャリアサーバ３０は、確定情報及び仮決済完了情報に基づいて決済を完了させ（仮決済を確定させ）、決済完了情報を管理者サーバ２０（決済完了情報受信部２０ｇ）に送信する。
【００７５】
「確定情報」は、仮決済を行った消費者が購入画面を介して商品の購入を確定したことを示す情報である。具体例としては、購入画面の確定ボタンとリンクした暗証番号入力画面における暗証番号の入力情報である。
【００７６】
なお、キャリアサーバ３０から仮決済完了情報を受信した管理者サーバ２０は、その情報を事業者サーバ１０に送信してもよい。この場合、事業者サーバ１０は、キャリアサーバ３０から決済完了情報を直接受け取ることで（管理者サーバ２０から決済完了情報を受け取る必要なく）商品の発送を行うことができる。
【００７７】
［商品の決済方法］
次に図８Ａ及び図８Ｂを参照して本実施形態に係る商品の決済方法における、抽選の申し込みから商品の発送までの一例を説明する。
【００７８】
消費者は、商品を購入するための抽選を申し込む場合に、自己の携帯端末４０を用いて通話回線により事業者サーバ１０にアクセスする。この際、消費者はキャンセル待ちの意志を表示する（「抽選及びキャンセル待ちの申し込み」。ステップ３０）。
【００７９】
事業者サーバ１０は、携帯端末４０の電話番号を用いて消費者が抽選に当選したかどうかを判断する（「落選の判断」。ステップ３１）。事業者サーバ１０は、当選者を抽出することにより、落選者を特定する。
【００８０】
事業者サーバ１０は、ステップ３０でキャンセル待ちの意志を表示し、且つステップ３１で落選した消費者（キャンセル待ちの落選者）の電話番号を管理者サーバ２０に送信する（「電話番号の送信」。ステップ３２）。
【００８１】
管理者サーバ２０は、ステップ３２で送信された電話番号が属するキャリアを判別する（「キャリアの判別」。ステップ３３）。
【００８２】
管理者サーバ２０は、商品を仮に購入するための仮決済を行う仮決済画面を作成する（「仮決済画面の作成」。ステップ３４）。
【００８３】
管理者サーバ２０は、仮決済画面と対応付けられたＵＲＬを記載したショートメッセージを、ステップ３３で判別したキャリアに応じた回線を介し、キャンセル待ちの落選者の電話番号に対応する携帯端末４０に送信する（「ショートメッセージの送信」。ステップ３５）。
【００８４】
管理者サーバ２０は、ステップ３３で判別したキャリアに対応するキャリアサーバ３０に商品の価格を含む仮決済用情報を送信する（「仮決済用情報の送信」。ステップ３６）。
【００８５】
キャンセル待ちの落選者は、携帯端末４０により、ステップ３５で送信されたショートメッセージを受信する（「ショートメッセージの受信」。ステップ３７）。キャンセル待ちの落選者は、ステップ３７で受信したショートメッセージに記載されたＵＲＬから仮決済画面を開き、当該仮決済画面を介して商品の購入を承認する（「仮決済の承認」。ステップ３８）。
【００８６】
キャリアサーバ３０は、ステップ３６における仮決済用情報及びステップ３８における仮決済承認情報に基づいて仮決済を完了させ、仮決済完了情報を管理者サーバ２０に送信する（「仮決済の完了」。ステップ３９）。
【００８７】
キャリアサーバ３０は、ステップ３９において仮決済された商品代金を携帯端末４０の使用料に上乗せして請求する（「代金の請求」。ステップ４０）。
【００８８】
キャンセル待ちの落選者は、携帯端末４０の使用料に上乗せされた商品代金の支払いを行う（「代金の支払い」。ステップ４１）。
【００８９】
キャンセルが発生した場合、管理者サーバ２０は、仮決済されている商品の購入を行うための購入画面を作成する（「購入画面の作成」。ステップ４２）。
【００９０】
管理者サーバ２０は、購入画面と対応付けられたＵＲＬを記載したショートメッセージを、ステップ３３で判別したキャリアに応じた回線を介し、仮決済を行った消費者の電話番号に対応する携帯端末４０に送信する（「ショートメッセージの送信」。ステップ４３）。
【００９１】
仮決済を行った消費者は、携帯端末４０により、ステップ４３で送信されたショートメッセージを受信する（「ショートメッセージの受信」。ステップ４４）。仮決済を行った消費者は、ステップ４４で受信したショートメッセージに記載されたＵＲＬから購入画面を開き、当該購入画面を介して商品の購入を確定する（「購入の確定」。ステップ４５）。
【００９２】
キャリアサーバ３０は、ステップ３９における仮決済完了情報及びステップ４５における確定情報に基づいて決済を完了させ、決済完了情報を管理者サーバ２０に送信する（「決済の完了」。ステップ４６）。
【００９３】
管理者サーバ２０は、ステップ４６における決済完了情報を事業者サーバ１０に送信する（「決済完了情報の送信」。ステップ４７）。
【００９４】
事業者サーバ１０は、管理者サーバ２０経由で受け取った決済完了情報に基づいて商品の発送の処理を行う（「商品の発送」。ステップ４８）。
【００９５】
なお、キャンセルが発生しなかった場合、キャリアサーバ３０は、既に支払われた商品代金のうち、手数料等を除いた額を消費者の口座等に返金する処理を行う。
【００９６】
このように、本実施形態の商品決済システム１（商品の決済方法）によれば、キャンセル待ちの落選者に対しても、安全且つ簡単に商品の購入ができる機会を提供することができる。また、キャリアは、先に商品代金を仮決済できるため、商品の売れ残りによる損失を低減することができる。
【００９７】
＜第３実施形態＞
図９及び図１０を参照して、第３実施形態に係る商品決済システム１について説明を行う。本実施形態では、落選者について、第２実施形態と異なる例を述べる（当選者については第１実施形態と同様である）。第１実施形態及び第２実施形態と同様の構成については詳細な説明を省略する。
【００９８】
［商品決済システムの構成］
本実施形態に係る商品決済システム１は、事業者サーバ１０、管理者サーバ２０及びキャリアサーバ３０を含んで構成される。
【００９９】
（事業者サーバ）
送信部１０ｃは、商品を購入するための抽選に落選した消費者（落選者）の電話番号及び商品に関連した別商品を販売するための情報を管理者サーバ２０に送信する。商品に関連した別商品を販売するための情報とは、たとえば商品がコンサートチケットの場合、コンサート会場でしか買えない限定商品の種類、限定商品の価格等である。ここでいう限定商品は、「別商品」の一例である。
【０１００】
（管理者サーバ）
電話番号受信部２０ａは、落選者の携帯端末４０の電話番号及び商品に関連した別商品を販売するための情報を事業者サーバ１０から受信する。
【０１０１】
判別部２０ｂは、受信した落選者の携帯端末４０の電話番号が属するキャリアを判別する。
【０１０２】
画面作成部２０ｃは、商品に関連した別商品を販売するための情報を含む販売画面を作成する。販売画面は、たとえば図９に示すように、別商品の種類、その価格及び購入ボタンが示される。購入ボタンは、キャリアサーバ３０が提供する暗証番号入力画面とリンクされている。なお、販売画面としては、事業者サーバ１０が運営する限定商品販売サイトのＵＲＬ（バナー広告等でも可）が示されることでもよい。
【０１０３】
ショートメッセージ送信指示部２０ｄは、ショートメッセージ送信部２０ｅに対し、販売画面と対応付けられたＵＲＬを記載したショートメッセージを、判別したキャリアに応じた回線を介し、落選者の電話番号に対応する携帯端末４０に送信させる。ショートメッセージには、ＵＲＬの他、落選した旨を伝えるメッセージや限定商品を購入するチャンスがある旨のメッセージ等が記載されていてもよい。落選者は、携帯端末４０を用い、販売画面を介して別商品の購入を承認する。たとえば、落選者は、販売画面に表示された別商品から任意の別商品に対応する購入ボタンをクリックし、暗証番号入力画面で暗証番号を入力する。落選者が別商品の購入を承認した情報（承認情報。後述）は、管理者サーバ２０及びキャリアサーバ３０に送信される。
【０１０４】
決済用情報送信部２０ｆは、落選者が販売画面を介して別商品の購入を承認した場合（すなわち、承認情報（後述）を受け取った場合）、判別したキャリアに対応するキャリアサーバ３０に当該別商品の価格を含む決済用情報を送信する。決済用情報は、別商品の価格、及び決済を行う携帯端末の所有者（落選者）を特定するための情報（すなわち、電話番号）が含まれる。
【０１０５】
（キャリアサーバ）
キャリアサーバ３０は、承認情報及び決済用情報に基づいて決済を完了させ、決済完了情報を管理者サーバ２０（決済完了情報受信部２０ｇ）に送信する。
【０１０６】
本実施形態における「承認情報」は、落選者が販売画面を介して別商品の購入を承認したことを示す情報である。たとえば、販売画面の購入ボタン（図９参照）とリンクした暗証番号入力画面における暗証番号の入力情報である。
【０１０７】
［商品の決済方法］
次に図１０を参照して本実施形態に係る商品の決済方法における、抽選の申し込みから商品代金の支払いまでの一例を説明する。
【０１０８】
消費者は、商品を購入するための抽選を申し込む場合に、自己の携帯端末４０を用いて通話回線により事業者サーバ１０にアクセスする（「抽選の申し込み」。ステップ５０）。
【０１０９】
事業者サーバ１０は、携帯端末４０の電話番号を用いて消費者が抽選に当選したかどうかを判断する（「落選の判断」。ステップ５１）。事業者サーバ１０は、当選者を抽出することにより、落選者を特定する。
【０１１０】
事業者サーバ１０は、落選者の電話番号及び商品に関連した別商品を販売するための情報を管理者サーバ２０に送信する（「電話番号等の送信」。ステップ５２）。
【０１１１】
管理者サーバ２０は、ステップ５２で送信された電話番号が属するキャリアを判別する（「キャリアの判別」。ステップ５３）。
【０１１２】
管理者サーバ２０は、ステップ５２で送信された商品に関連する別商品を販売するための情報を含む販売画面を作成する（「販売画面の作成」。ステップ５４）。
【０１１３】
管理者サーバ２０は、販売画面と対応付けられたＵＲＬを記載したショートメッセージを、ステップ５３で判別したキャリアに応じた回線を介し、落選者の電話番号に対応する携帯端末４０に送信する（「ショートメッセージの送信」。ステップ５５）。
【０１１４】
落選者は、携帯端末４０により、ステップ５５で送信されたショートメッセージを受信する（「ショートメッセージの受信」。ステップ５６）。落選者は、ステップ５６で受信したショートメッセージに記載されたＵＲＬから販売画面を開き、当該販売画面に示された別商品から、任意の別商品を選んでその購入を承認する（「別商品の購入を承認」。ステップ５７）。
【０１１５】
管理者サーバ２０は、落選者が販売画面を介して別商品の購入を承認した場合、ステップ５３で判別したキャリアに対応するキャリアサーバ３０に別商品の価格を含む決済用情報を送信する（「決済用情報の送信」。ステップ５８）。
【０１１６】
キャリアサーバ３０は、ステップ５７における承認情報及びステップ５８における決済用情報に基づいて決済を完了させ、決済完了情報を管理者サーバ２０に送信する（「決済の完了」。ステップ５９）。
【０１１７】
管理者サーバ２０は、ステップ５９における決済完了情報を事業者サーバ１０に送信する（「決済完了情報の送信」。ステップ６０）。
【０１１８】
事業者サーバ１０は、管理者サーバ２０経由で受け取った決済完了情報に基づいて別商品の発送の処理を行う（「別商品の発送」。ステップ６１）。
【０１１９】
キャリアサーバ３０は、ステップ５９において決済された別商品の代金を携帯端末４０の使用料に上乗せして請求する（「代金の請求」。ステップ６２）。
【０１２０】
消費者は、携帯端末４０の使用料に上乗せされた別商品の代金の支払いを行う（「代金の支払い」。ステップ６３）。
【０１２１】
このように、本実施形態の商品決済システム１（商品の決済方法）によれば、落選者に対し、安全且つ簡単に別商品を入手できる機会を提供することができる。
【０１２２】
＜第４実施形態＞
図１１〜図１４を参照して、第４実施形態に係る商品提供システム２について説明を行う。第１〜第３実施形態で述べたような商品を販売する場合には、決済処理が必要となる。一方、たとえばＴＶ番組の視聴者に対し抽選で番組のノベルティ商品をプレゼントする場合には、必ずしも決済処理は必要ではない。本実施形態では、このように決済処理を行わない場合に用いられる商品提供システム２の例について述べる。第１〜第３実施形態と同様の構成については詳細な説明を省略する場合がある。
【０１２３】
［商品提供システムの構成］
図１１は、本実施形態に係る商品提供システム２の概略を示す図である。商品提供システム２は、消費者が自己の携帯端末４０を使用し、通話回線により商品を入手するための抽選の申し込みを行った場合に用いられる。
【０１２４】
商品提供システム２は、事業者サーバ１０及び管理者サーバ２０を含んで構成されている。サーバ同士は、有線または無線で通信される。携帯端末４０は、商品提供システム２との間で通話回線を介した通信を行うことができる。
【０１２５】
消費者は、商品（たとえば、ＴＶ番組のノベルティ商品）を入手するための抽選を申し込む場合、自己の携帯端末４０を用いて通話回線により事業者サーバ１０にアクセスする。具体的には、消費者は、携帯端末４０によりＴＶ番組で紹介された所定の電話番号に電話を掛けることにより、抽選の申し込みをおこなう。
【０１２６】
（事業者サーバ）
本実施形態における事業者サーバ１０は、受付部１０ａと、抽選処理部１０ｂと、送信部１０ｃと、発送処理部１０ｄとを含んで構成される。受付部１０ａ、抽選処理部１０ｂ及び送信部１０ｃは、第１実施形態と同様である。
【０１２７】
本実施形態における発送処理部１０ｄは、管理者サーバ２０経由または消費者の携帯端末４０から直接受け取った商品の発送に関する情報（後述）に基づいて商品の発送の処理を行う。
【０１２８】
（管理者サーバ）
図１２は本実施形態に係る管理者サーバ２０の構成を示すブロック図である。管理者サーバ２０は、電話番号受信部２０ａと、判別部２０ｂと、画面作成部２０ｃと、ショートメッセージ送信指示部２０ｄと、ショートメッセージ送信部２０ｅとを含んで構成される。電話番号受信部２０ａ及び判別部２０ｂは、第１実施形態と同様である。
【０１２９】
本実施形態における画面作成部２０ｃは、商品の発送に関する情報を入力するためのフォームを含む入力画面を作成する。商品の発送に関する情報は、当選者に対して商品を提供するために必要な情報である。入力画面は、たとえば図１３に示すように、当選した商品名（プレゼント名）、当選者の住所記入欄、氏名記入欄、連絡先記入欄及び送信ボタンが示される。なお、当選した商品名は、送信部１０ｃから送信された商品に関する情報を用いる。
【０１３０】
なお、画面作成部２０ｃは、フォーム以外の情報（たとえば、関連商品の販売サイトに誘導するためのバナー広告等）を含んだ入力画面を作成してもよい。
【０１３１】
ショートメッセージ送信指示部２０ｄは、ショートメッセージ送信部２０ｅに対し、入力画面と対応付けられたＵＲＬを記載したショートメッセージを、判別したキャリアに応じた回線を介し、当選者の電話番号に対応する携帯端末４０に送信させる。ショートメッセージには、ＵＲＬの他、当選した旨を伝えるメッセージが記載されていてもよい。当選者は、携帯端末４０を用い、入力画面を介して商品の発送に関する情報を入力する。入力された情報は、直接、事業者サーバ１０に送信されるか、管理者サーバ２０を経由して事業者サーバ１０に送信される。なお、個人情報保護の観点から、入力された情報は、事業者サーバ１０に直接送信されることが望ましい。
【０１３２】
事業者サーバ１０（発送処理部１０ｄ）は、当選者が入力画面を介して商品の発送に関する情報を入力した場合、入力された情報に基づいて商品の発送の処理を行う。
【０１３３】
［商品の提供方法］
次に図１４を参照して本実施形態に係る商品の提供方法における、抽選の申し込みから商品の発送までの一例を説明する。
【０１３４】
消費者は、商品を入手するための抽選を申し込む場合に、自己の携帯端末４０を用いて通話回線により事業者サーバ１０にアクセスする（「抽選の申し込み」。ステップ７０）。
【０１３５】
事業者サーバ１０は、携帯端末４０の電話番号を用いて消費者が抽選に当選したかどうかを判断する（「当選の判断」。ステップ７１）。
【０１３６】
事業者サーバ１０は、当選者の電話番号及び商品に関する情報を管理者サーバ２０に送信する（「電話番号等の送信」。ステップ７２）。
【０１３７】
管理者サーバ２０は、ステップ７２で送信された電話番号が属するキャリアを判別する（「キャリアの判別」。ステップ７３）。
【０１３８】
管理者サーバ２０は、ステップ７２で送信された商品に関する情報を用いつつ、商品の発送に関する情報を入力するためのフォームを含む入力画面を作成する（「入力画面の作成」。ステップ７４）。
【０１３９】
管理者サーバ２０は、入力画面と対応付けられたＵＲＬを記載したショートメッセージを、ステップ７３で判別したキャリアに応じた回線を介し、当選者の電話番号に対応する携帯端末４０に送信する（「ショートメッセージの送信」。ステップ７５）。
【０１４０】
当選者は、携帯端末４０により、ステップ７５で送信されたショートメッセージを受信する（「ショートメッセージの受信」。ステップ７６）。当選者は、ステップ７６で受信したショートメッセージに記載されたＵＲＬから入力画面を開き、当該入力画面を介して商品の発送に関する情報を入力する（「情報の入力」。ステップ７７）。
【０１４１】
事業者サーバ１０は、ステップ７７で入力された情報を受信する（「情報の受信」。ステップ７８）。
【０１４２】
事業者サーバ１０は、ステップ７７で受信した情報に基づいて商品の発送の処理を行う（「商品の発送」。ステップ７９）。
【０１４３】
このように、本実施形態の商品提供システム２（商品の提供方法）によれば、通話回線を使用した通信（ＳＭＳ等）により安全且つ簡単に商品の提供を行うことができる。
【０１４４】
＜第５実施形態＞
図１５を参照して、第５実施形態に係る商品提供システム２について説明を行う。本実施形態では、落選者に同じ商品等を購入する機会を提供する例ついて述べる（当選者については第４実施形態と同様である）。第１〜第４実施形態と同様の構成については詳細な説明を省略する場合がある。
【０１４５】
［商品提供システムの構成］
本実施形態に係る商品提供システム２は、事業者サーバ１０、管理者サーバ２０及びキャリアサーバ３０を含んで構成される。
【０１４６】
（事業者サーバ）
送信部１０ｃは、商品を入手するための抽選に落選した消費者（落選者）の電話番号、並びに商品及び／または商品に関連した別商品を販売するための情報を管理者サーバ２０に送信する。商品を販売するための情報とは、たとえば当選者が入手できるノベルティ商品名、その価格等である。商品に関連した別商品を販売するための情報とは、たとえば商品があるキャラクタのノベルティ商品の場合、当該キャラクタが模された別の商品の種類、その価格等である。
【０１４７】
（管理者サーバ）
電話番号受信部２０ａは、落選者の携帯端末４０の電話番号、並びに商品及び／または商品に関連した別商品を販売するための情報を事業者サーバ１０から受信する。
【０１４８】
判別部２０ｂは、第２実施形態等と同様、受信した落選者の携帯端末４０の電話番号が属するキャリアを判別する。
【０１４９】
画面作成部２０ｃは、商品及び／または商品に関連した別商品を販売するための情報を含む販売画面を作成する。販売画面は、たとえば第３実施形態（図９）で示したように、商品の種類、その価格及び購入ボタンが示される。
【０１５０】
ショートメッセージ送信指示部２０ｄは、ショートメッセージ送信部２０ｅに対し、販売画面と対応付けられたＵＲＬを記載したショートメッセージを、判別したキャリアに応じた回線を介し、落選者の電話番号に対応する携帯端末４０に送信させる。ショートメッセージには、ＵＲＬの他、落選した旨を伝えるメッセージや同じ商品（別商品）を購入するチャンスがある旨のメッセージ等が記載されていてもよい。落選者は、携帯端末４０を用い、販売画面を介して商品及び／または別商品の購入を承認する。商品及び／または別商品の購入（承認）は、第３実施形態と同様の方法で行うことができる。落選者が商品及び／または別商品の購入を承認した情報（承認情報。後述）は、管理者サーバ２０及びキャリアサーバ３０に送信される。
【０１５１】
決済用情報送信部２０ｆは、落選者が販売画面を介して商品及び／または別商品の購入を承認した場合（すなわち、承認情報（後述）を受け取った場合）、判別したキャリアに対応するキャリアサーバ３０に当該商品及び／または当該別商品の価格を含む決済用情報を送信する。決済用情報には、商品及び／または別商品の価格、及び決済を行う携帯端末の所有者（落選者）を特定するための情報（すなわち、電話番号）が含まれる。
【０１５２】
（キャリアサーバ）
キャリアサーバ３０は、承認情報及び決済用情報に基づいて決済を完了させ、決済完了情報を管理者サーバ２０（決済完了情報受信部２０ｇ）に送信する。
【０１５３】
本実施形態における「承認情報」は、落選者が販売画面を介して商品や別商品の購入を承認したことを示す情報である。たとえば、販売画面の購入ボタンとリンクした暗証番号入力画面における暗証番号の入力情報である。
【０１５４】
［商品の提供方法］
次に図１５を参照して本実施形態における商品の提供方法における、抽選の申し込みから商品代金の支払いまでの一例を説明する。ここでは、落選者が抽選で入手できる商品を購入する例について述べる。
【０１５５】
消費者は、商品を入手するための抽選を申し込む場合に、自己の携帯端末４０を用いて通話回線により事業者サーバ１０にアクセスする（「抽選の申し込み」。ステップ８０）。
【０１５６】
事業者サーバ１０は、携帯端末４０の電話番号を用いて消費者が抽選に当選したかどうかを判断する（「落選の判断」。ステップ８１）。事業者サーバ１０は、当選者を抽出することにより、落選者を特定する。
【０１５７】
事業者サーバ１０は、落選者の電話番号及び商品を販売するための情報を管理者サーバ２０に送信する（「電話番号等の送信」。ステップ８２）。
【０１５８】
管理者サーバ２０は、ステップ８２で送信された電話番号が属するキャリアを判別する（「キャリアの判別」。ステップ８３）。
【０１５９】
管理者サーバ２０は、ステップ８２で送信された商品を販売するための情報を含む販売画面を作成する（「販売画面の作成」。ステップ８４）。
【０１６０】
管理者サーバ２０は、販売画面と対応付けられたＵＲＬを記載したショートメッセージを、ステップ８３で判別したキャリアに応じた回線を介し、落選者の電話番号に対応する携帯端末４０に送信する（「ショートメッセージの送信」。ステップ８５）。
【０１６１】
落選者は、携帯端末４０により、ステップ８５で送信されたショートメッセージを受信する（「ショートメッセージの受信」。ステップ８６）。落選者は、ステップ８６で受信したショートメッセージに記載されたＵＲＬから販売画面を開き、当該販売画面に示された商品の購入を承認する（「商品の購入を承認」。ステップ８７）。
【０１６２】
管理者サーバ２０は、落選者が販売画面を介して商品の購入を承認した場合、ステップ８３で判別したキャリアに対応するキャリアサーバ３０に商品の価格を含む決済用情報を送信する（「決済用情報の送信」。ステップ８８）。
【０１６３】
キャリアサーバ３０は、ステップ８７における承認情報及びステップ８８における決済用情報に基づいて決済を完了させ、決済完了情報を管理者サーバ２０に送信する（「決済の完了」。ステップ８９）。
【０１６４】
管理者サーバ２０は、ステップ８９における決済完了情報を事業者サーバ１０に送信する（「決済完了情報の送信」。ステップ９０）。
【０１６５】
事業者サーバ１０は、管理者サーバ２０経由で受け取った決済完了情報に基づいて商品の発送の処理を行う（「商品の発送」。ステップ９１）。
【０１６６】
キャリアサーバ３０は、ステップ８９において決済された商品の代金を携帯端末４０の使用料に上乗せして請求する（「代金の請求」。ステップ９２）。
【０１６７】
消費者は、携帯端末４０の使用料に上乗せされた別商品の代金の支払いを行う（「代金の支払い」。ステップ９３）。
【０１６８】
このように、本実施形態の商品提供システム２（商品の提供方法）によれば、落選者に対し、安全且つ簡単に当選者が入手できる商品と同じ商品等を入手できる機会を提供することができる。
【０１６９】
＜変形例１＞
たとえば、第１実施形態において、一旦、抽選の申し込みを行った消費者が、何らかの理由により抽選（当選）をキャンセルしたい場合もありうる。
【０１７０】
この場合、事業者サーバ１０に対して複数回のアクセスを要求することにより、キャンセルを容易に行うことができる。また、事業者は、キャンセル分をすぐに販売することが可能となるため、商品の売れ残り等を避けることが可能となる。
【０１７１】
具体例として、消費者が商品を購入するための抽選を申し込む場合には、自己の携帯端末４０を用いて通話回線により事業者サーバ１０に少なくとも２回アクセスさせる。２回のアクセスを行わせるためには、たとえば、事業者サーバ１０は、１回目のアクセスの際に音声等により再度のアクセスの案内を通知する。
【０１７２】
事業者サーバ１０（抽選処理部１０ｂ）は、１回目のアクセスにより消費者が抽選に当選したかどうかを仮判断する。そして、事業者サーバ１０（抽選処理部１０ｂ）は、当選の仮判断がなされ、且つ２回目のアクセスを行った消費者の電話番号を、当選者の電話番号として管理者サーバ２０に送信する。
【０１７３】
＜変形例２＞
上記実施形態では、受信した電話番号が属するキャリアを判別する判別部２０ｂが、管理者サーバ２０に設けられている構成について述べた。一方、判別部２０ｂを事業者サーバ１０側に設けることも可能である。
【０１７４】
たとえば、第１実施形態の構成において、判別部２０ｂを事業者サーバ１０側に設けた場合、事業者サーバ１０は、受信した電話番号が属するキャリアを判別する。
【０１７５】
事業者サーバ１０は、当選したと判断された消費者の電話番号、商品に関する情報と合わせて当該電話番号が属するキャリアの判別情報を管理者サーバ２０に送信する。
【０１７６】
管理者サーバ２０は、決済画面と対応付けられたＵＲＬを記載したショートメッセージを、事業者サーバ１０から送信されたキャリアの判別情報に応じた回線を介し、当選したと判断された消費者の電話番号に対応する携帯端末４０に送信する。
【０１７７】
管理者サーバ２０は、キャリアの判別情報に対応するキャリアサーバ３０に商品の価格を含む決済用情報を送信する。
【符号の説明】
【０１７８】
１  決済システム
１０  事業者サーバ
１０ａ  受付部
１０ｂ  抽選処理部
１０ｃ  送信部
１０ｄ  発送処理部
２０  管理者サーバ
２０ａ  電話番号受信部
２０ｂ  判別部
２０ｃ  画面作成部
２０ｄ  ショートメッセージ送信指示部
２０ｅ  ショートメッセージ送信部
２０ｆ  決済用情報送信部
２０ｇ  決済完了情報受信部
２０ｈ  決済完了情報送信部
３０  キャリアサーバ
４０  携帯端末
【図１】
0006040124.tif 000002
【図２】
0006040124.tif 000003
【図３】
0006040124.tif 000004
【図４】
0006040124.tif 000005
【図５】
0006040124.tif 000006
【図６】
0006040124.tif 000007
【図７】
0006040124.tif 000008
【図８Ａ】
0006040124.tif 000009
【図８Ｂ】
0006040124.tif 000010
【図９】
0006040124.tif 000011
【図１０】
0006040124.tif 000012
【図１１】
0006040124.tif 000013
【図１２】
0006040124.tif 000014
【図１３】
0006040124.tif 000015
【図１４】
0006040124.tif 000016
【図１５】
0006040124.tif 000017